(57)【要約】【課題】ウエブ材料のスリット後、そのウエブ材料を上段および下段の巻取軸１に巻き取るスリッタの巻取装置において、装置が大型化されず、設置スペースが要求されず、構造が簡単であり、コストが低いようにする。【解決手段】巻取軸１の一端において、垂直軸４によって上段および下段の巻取軸１が支持され、ウエブ材料の巻き取り後、上段および下段の巻取軸１が垂直軸４のまわりを旋回する。その後、巻取製品１４が巻取軸１から抜き取られる。【選択図】図１
2008214027.tif 000002
【特許請求の範囲】
【請求項１】
上下２段の巻取位置にそれぞれ巻取軸を設け、ウエブ材料のスリット後、そのウエブ材料を上段および下段の巻取軸に巻き取るスリッタの巻取装置であって、前記巻取軸の一端において、垂直軸によって前記上段および下段の巻取軸を支持し、前記ウエブ材料の巻き取り後、前記上段および下段の巻取軸を前記垂直軸のまわりに旋回させ、その後、巻取製品を前記巻取軸から抜き取るようにしたことを特徴とするスリッタの巻取装置。
【請求項２】
前記ウエブ材料を巻き取るとき、前記巻取軸の他端において、支持手段によって前記上段および下段の巻取軸を支持し、前記上段および下段の巻取軸を両持ち支持し、前記巻取軸を旋回させるとき、前記上段および下段の巻取軸を前記支持手段から離脱させ、片持ち支持するようにしたことを特徴とする請求項１に記載の巻取装置。
【請求項３】
前記巻取軸の一端において、共通の支持体によって前記上段および下段の巻取軸を支持し、前記上段および下段の巻取軸間において、前記支持体に水平軸を設け、前記水平軸を前記垂直軸に支持し、前記ウエブ材料の巻き取り後、前記垂直軸のまわりにおいて、前記巻取軸を前記支持体および水平軸と一体的に旋回させ、前記巻取軸の旋回後、または旋回と同時に、前記巻取軸および支持体を前記水平軸のまわりに旋回させ、前記上段および下段の巻取軸を水平方向に並列させるようにしたことを特徴とする請求項２に記載の巻取装置。
【請求項４】
駆動モータを前記垂直軸に取り付け、前記水平軸に連結し、前記水平軸のまわりにおいて、前記駆動モータによって前記水平軸を回転させ、前記巻取軸および支持体を旋回させるようにしたことを特徴とする請求項３に記載の巻取装置。
【発明の詳細な説明】
【技術分野】
【０００１】
この発明は、プラスチックフィルム、紙などのウエブ材料をスリットするスリッタに関するものであり、特にそのウエブ材料の巻取装置に関するものである。
【背景技術】
【０００２】
スリッタの巻取装置として種々の形式のものが使用されているが、最近、上下２段の巻取位置にそれぞれ巻取軸が設けられ、ウエブ材料のスリット後、そのウエブ材料が上段および下段の巻取軸に巻き取られることが多い。たとえば、特開２００４−２５６２３０号公報（特許文献１）に記載されているものがそれである。
【０００３】
さらに、同公報の装置では、ウエブ材料の巻き取り後、上段および下段の製品受けが巻取軸の下側に旋回し、駆動モータおよびねじ棒によって上段および下段の製品受けが上昇し、巻取製品が製品受けに支持される。さらに、駆動機構によって上段および下段の巻取軸が引っ張られ、上段および下段の巻取軸がその軸方向に移動し、巻取製品がストッパに係合する。したがって、上段および下段の巻取軸が巻取製品から抜き取られる。その後、上段および下段の製品受けが装置の前側に旋回し、製品受けによって巻取製品が取り出される。
【０００４】
しかしながら、上段および下段の巻取軸をその軸方向に移動させ、巻取製品から抜き取るには、装置内において、上段および下段の巻取軸を相当のストロークをもって移動させる必要がある。このため、巻取軸の軸方向において、装置が大型化され、大きい設置スペースが要求される。さらに、装置内において、駆動機構によって上段および下段の巻取軸を引っ張り、移動させる必要があり、その構造が複雑であり、コストが高いという問題もある。
【０００５】
したがって、この発明は、上下２段の巻取位置にそれぞれ巻取軸を設け、ウエブ材料のスリット後、そのウエブ材料を上段および下段の巻取軸に巻き取るスリッタの巻取装置において、装置が大型化されず、設置スペースが要求されず、構造が簡単であり、コストが低いようにすることを目的としてなされたものである。
【特許文献１】特開２００４−２５６２３０号公報
【発明の開示】
【０００６】
この発明によれば、巻取軸の一端において、垂直軸によって上段および下段の巻取軸が支持され、ウエブ材料の巻き取り後、上段および下段の巻取軸が垂直軸のまわりを旋回する。その後、巻取製品が巻取軸から抜き取られる。
【０００７】
好ましい実施例では、ウエブ材料が巻き取られるとき、巻取軸の他端において、支持手段によって上段および下段の巻取軸が支持される。したがって、上段および下段の巻取軸が両持ち支持される。さらに、巻取軸が旋回するとき、上段および下段の巻取軸が支持手段から離脱し、片持ち支持される。
【０００８】
さらに、巻取軸の一端において、共通の支持体によって上段および下段の巻取軸が支持され、上段および下段の巻取軸間において、支持体に水平軸が設けられ、水平軸が垂直軸に支持される。そして、ウエブ材料の巻き取り後、垂直軸のまわりにおいて、巻取軸が支持体および水平軸と一体的に旋回する。さらに、巻取軸の旋回後、または旋回と同時に、巻取軸および支持体が水平軸のまわりを旋回し、上段および下段の巻取軸が水平方向に並列される。
【０００９】
さらに、駆動モータが垂直軸に取り付けられ、水平軸に連結され、水平軸のまわりにおいて、駆動モータによって水平軸が回転し、巻取軸および支持体が旋回する。
【発明を実施するための最良の形態】
【００１０】
以下、この発明の実施例を説明する。
【００１１】
図１はこの発明にかかるスリッタの巻取装置を示す。この装置では、上下２段の巻取位置にそれぞれ巻取軸１が設けられ、ウエブ材料のスリット後、そのウエブ材料が上段および下段の巻取軸１に巻き取られる。
【００１２】
さらに、この装置では、巻取軸１の一端において、上段および下段の巻取軸１が共通の支持体２に取り付けられ、回転可能に案内され、支持体２によって上段および下段の巻取軸１が支持されている。さらに、上段および下段の巻取軸１間において、支持体２に水平軸３が設けられ、水平軸３が垂直軸４に取り付けられ、支持されている。支持体２はタレットからなる。水平軸３は支持体２と一体である。したがって、垂直軸４によって上段および下段の巻取軸１が支持されているものである。垂直軸４はベース５に取り付けられており、中心線のまわりを回転可能である。
【００１３】
さらに、ウエブ材料が巻き取られるとき、巻取軸１の他端において、支持手段６によって上段および下段の巻取軸１が支持される。したがって、上段および下段の巻取軸１が両持ち支持される。図５に示すように、支持手段６は円筒体からなり、みぞ７を有し、みぞ７は水平方向に開口する。さらに、巻取軸１にベアリングボックス８が設けられ、これがみぞ７にはめ込まれ、支持手段６にロック機構が設けられ、ベアリングボックス８がみぞ７にロックされており、上段および下段の巻取軸１が回転可能に案内されている。この実施例では、ロック機構にカム９およびレバー１０が使用されており、レバー１０によってカム９を回転させ、カム９によってベアリングボックス８をロックすることができる。レバー１０およびカム９を逆方向に回転させ、これによってベアリングボックス８をアンロックすることもできる。
【００１４】
さらに、駆動モータ１１がベルト１２、プーリ１３およびカップリングに連結され、上段および下段の巻取軸１に連結されている。そして、駆動モータ１１によって上段および下段の巻取軸１が回転し、ウエブ材料が巻き取られ、これによって巻取製品１４が形成される。この実施例では、カップリングに連結軸１５およびレバー１６が使用され、キーによってプーリ１３と連結軸１５が連結されており、レバー１６を連結軸１５のまわりに回転させると、連結軸１５を軸方向に移動させ、上段および下段の巻取軸１に連結することができる。したがって、駆動モータ１１を上段および下段の巻取軸１に連結することができるものである。レバー１６を逆方向に回転させ、図４に示すように、連結軸１５を逆方向に移動させ、上段および下段の巻取軸１から後退させ、離脱させることもできる。
【００１５】
さらに、駆動モータ１７が垂直軸４に取り付けられ、水平軸３に連結されている。その作用は後述する。さらに、図２に示すように、台車１８がこの装置と組み合わされる。台車１８はテーブル１９およびリフタを有する。リフタはテーブル１９を上昇および下降させるためのものである。
【００１６】
そして、この装置では、ウエブ材料の巻き取り後、レバー１６によって連結軸１５が操作され、移動し、連結軸１５が上段および下段の巻取軸１から後退し、離脱される。さらに、レバー１０によってベアリングボックス８がアンロックされる。その後、上段および下段の巻取軸１が垂直軸４のまわりを旋回し、ベアリングボックス８がみぞ７から引き出される。したがって、巻取軸１が旋回するとき、上段および下段の巻取軸１が支持手段６から離脱し、片持ち支持される。
【００１７】
たとえば、手動操作で上段および下段の巻取軸１が操作され、旋回する。その旋回角度は９０°である。したがって、図３に示すように、上段および下段の巻取軸１が装置の前側に旋回し、巻取製品１４が装置の前側に取り出される。
【００１８】
さらに、巻取軸１が旋回するとき、垂直軸４のまわりにおいて、巻取軸１が支持体２および水平軸３と一体的に旋回する。垂直軸４は支持体２および水平軸３と一体的に回転する。さらに、巻取軸１の旋回後、または旋回と同時に、巻取軸１および支持体２が水平軸３のまわりを旋回する。その旋回角度は９０°である。したがって、上段および下段の巻取軸１が水平方向に並列される。この実施例では、水平軸３のまわりにおいて、駆動モータ１７によって水平軸３が回転し、巻取軸１および支持体２が旋回する。
【００１９】
その後、巻取製品１４が巻取軸１から抜き取られる。この実施例では、装置の前側において、まず、台車１８が巻取軸１の軸方向に押され、テーブル１９が装置に向かって前進し、巻取製品１４の下側に配置される。さらに、リフタによってテーブル１９が上昇し、巻取製品１４がテーブル１９に支持される。その後、台車１８が巻取軸１の軸方向に引かれ、テーブル１９が装置から後退し、テーブル１９によって巻取製品１４が送られる。したがって、巻取製品１４を巻取軸１から抜き取ることができる。その後、台車１８およびテーブル１９が目的位置に移動し、巻取製品１４が目的位置に送られる。
【００２０】
したがって、この装置の場合、特開２００４−２５６２３０号公報の装置のように、装置内において、上段および下段の巻取軸１をその軸方向に移動させる必要はない。したがって、巻取軸１の軸方向において、装置が大型化されず、大きい設置スペースは要求されない。さらに、同公報の装置のように、装置内において、駆動機構によって上段および下段の巻取軸１を引っ張り、移動させる必要はない。したがって、その構造が簡単であり、コストは低い。
【００２１】
さらに、上段および下段の巻取軸１が水平方向に並列し、その状態で巻取製品１４が抜き取られることは前述したとおりである。したがって、同一の高さ位置で巻取製品１４を抜き取ることができ、好ましい。
【００２２】
さらに、巻取製品１４は均一の幅および重量ではない。したがって、上段および下段の巻取軸１によってその重量が異なり、不均衡であることが普通であるが、駆動モータ１７によって上段および下段の巻取軸１が旋回し、不均衡であっても、問題はない。
【００２３】
なお、この実施例では、巻取軸１を水平軸３のまわりに旋回させ、巻取製品１４を巻取軸１から抜き取る前、垂直軸４のまわりにおいて、巻取軸１を９０°の角度をもって旋回させたが、必ずしもその必要はない。特に、重量の小さい巻取製品１４の場合、図３の仮想線で示すように、巻取軸１を小さい角度をもって旋回させ、巻取製品１４を斜めに抜き取るようにしてもよい。この場合、巻取軸１を水平軸３のまわりに旋回させないことが好ましい。
【００２４】
さらに、巻取軸１のカップリングにおいて、レバー１６ではなく、シリンダによって連結軸１５を移動させ、駆動モータ１１と巻取軸１を自動的に連結および離脱するようにしてもよい。他の駆動手段によって駆動モータ１１と巻取軸１を連結および離脱するようにしてもよい。ベアリングブロック８のロック機構も同様である。ベアリングブロック８を自動的にロックおよびアンロックするようにしてもよい。
【図面の簡単な説明】
【００２５】
【図１】この発明の実施例を示す側面図である。
【図２】図１の巻取軸が旋回した状態を示す側面図である。
【図３】図２の装置の平面図である。
【図４】図１のカップリングの説明図である。
【図５】図１の支持手段の正面図である。
【符号の説明】
【００２６】
１  巻取軸
２  支持体
３  水平軸
４  垂直軸
６  支持手段
１４  巻取製品
１７  駆動モータ
【図１】
2008214027.tif 000003
【図２】
2008214027.tif 000004
【図３】
2008214027.tif 000005
【図４】
2008214027.tif 000006
【図５】
2008214027.tif 000007